(57)【要約】【課題】ミラーに写る顔面に生じる影を低減し、より自然な光のもとで顔面の状態を確認することを可能とした航空機用化粧室のミラー取付け構造を提供する。                【解決手段】ミラー１３の少なくとも左右に隣接するキャビネット１２には、図２及び図３に示すように、キャビネット１２の表面に透明または半透明なカバー部材１６を設け、このカバー部材１６の内側に発光ダイオード（ＬＥＤ）または蛍光灯等の発光体１７が配設してある。カバー部材１６のミラー１３に隣接する部分は、ミラー１３と同一面上とし、反対側は前記キャビネット１２の厚みに沿って前面側に立ち上がるように構成し、ミラー１３の裏面側には、反射コーティング部材１７が設けてある。発光ダイオード（ＬＥＤ）または蛍光灯等の発光体１７は、連続または非連続に形成されたものを使用することも可能であり、更にミラー１３の左右に隣接するキャビネット１２に限定されず、上部側に設けることも可能である。【選択図】  図２
2008080843.tif 000002
【特許請求の範囲】
【請求項１】
ボックス状に一体的に成形された化粧室本体の壁面に、キャビネットを介してミラーを取付けた航空機用化粧室のミラー取付け構造において、
前記ミラーの少なくとも左右に隣接するキャビネットの表面に透明または半透明なカバー部材を設け、このカバー部材の内側に発光体を配設したことを特徴とする航空機用化粧室のミラー取付け構造。
【請求項２】
前記カバー部材のミラーに隣接する部分は、ミラーと同一面上とし、反対側は前記キャビネットの厚みに沿って前面側に立ち上がるように構成した請求項１に記載の航空機用化粧室のミラー取付け構造。
【請求項３】
前記発光体は、連続または非連続に形成されたものを使用する請求項１または２に記載の航空機用化粧室のミラー取付け構造。
【請求項４】
前記発光体が、発光ダイオードまたは蛍光灯である請求項１，２または３に記載の航空機用化粧室のミラー取付け構造。
【請求項５】
前記ミラーに隣接するキャビネットの側面に、少なくとも一個以上の小物入れを併設した請求項１，２，３または４に記載の航空機用化粧室のミラー取付け構造。
【発明の詳細な説明】
【技術分野】
【０００１】
この発明は、航空機用化粧室のミラー取付け構造に係わり、更に詳しくは化粧室本体の壁面に取り付けるミラーの近傍に配設する発光体（フェイスライト）の設置位置を工夫することにより、ミラーに写る顔面に生じる影を低減し、より自然な光のもとで顔面の状態を確認することを可能とした航空機用化粧室のミラー取付け構造に関するものである。
【背景技術】
【０００２】
従来、民間航空機用の化粧室ユニットとしては、乗客の人数にもよるが一般には１０個前後の化粧室ユニットが機体内に搭載され、また一般乗客が使用する化粧室ユニットの場合、大便器，小便器，ミラー等を備えた洗面台等が小スペースのボックス状の化粧室内に組み込まれているのが一般的である。
【０００３】
ところで、一般にキャビネットを介してミラーを取付けるパネルには、ミラーに写る顔を見る際、より顔面をより見やすくするためにフェイスライトと呼称される蛍光灯等の発光体がミラーの近傍に取付けられている（例えば、特許文献１参照）。
【０００４】
また、図４に示すように航空機用の化粧室ユニットのパネル１の側面にキャビネット１ａを介して取付けられるミラー２についても、ミラー２の裏面側の反射コーティング部材３を除去した箇所に透明または半透明のフィルタ４を設け、またミラー２と同一面上に透明または半透明なカバー部材５を設けて照明光Ｑの放射部とし、また放射部の裏側に光源となる発光体６（フェイスライト）を設けている。そして、左右それぞれ一箇所もしくは複数箇所に設けたミラー２と同一面にある放出部から使用者Ｗの顔面に向かって照明光Ｑが照射される構成になっている。
【０００５】
これによりミラー２の上部にのみ照明を設置した場合に比べて、顔の見やすさは改善される。しかし、両方からの照射のみとなるため、顔面に影等を生じさせて極めて見ずらいは言う問題があった。
【特許文献１】特開２００１−３５８３号公報
【発明の開示】
【発明が解決しようとする課題】
【０００６】
この発明はかかる従来の問題点に着目し、化粧室ユニットのパネル壁面にキャビネットを介して取付けるミラーの少なくとも左右両側に発光体を配設することで、ミラーに写る顔面に生じる影を低減し、より自然な光のもとで顔面の状態を確認することを可能とした航空機用化粧室のミラー取付け構造を提供することを目的とするものである。
【課題を解決するための手段】
【０００７】
この発明は上記目的を達成するため、ミラーの少なくとも左右に隣接するキャビネットの表面に透明または半透明なカバー部材を設け、このカバー部材の内側に発光体を配設したことを要旨とするものである。
【０００８】
ここで、前記カバー部材のミラーに隣接する部分は、ミラーと同一面上とし、反対側は前記キャビネットの厚みに沿って前面側に立ち上がるように構成し、また前記発光体は、連続または非連続に形成されたものを使用するものである。
【０００９】
また、前記発光体が、発光ダイオードまたは蛍光灯であり、前記ミラーに隣接するキャビネットの側面に、少なくとも一個以上の小物入れを併設することも可能である。
【００１０】
このように構成したこの発明のミラー取付け構造では、ミラーと同一面上に光の放出部を有する発光体（フェイスライト）よりも多くの方向から顔面に光が照射されるので、顔面に生じる影を低減し、より自然な光のもとで顔面の状態を確認することが可能となる。
【発明の効果】
【００１１】
この発明は、上記のようにミラーの少なくとも左右に隣接するキャビネットの表面に透明または半透明なカバー部材を設け、このカバー部材の内側に発光体を配設したので、ミラーと同一面上に光の放出部を有する発光体（フェイスライト）よりも多くの方向から顔面に光が照射され、ミラーに写る顔面に生じる影を低減し、より自然な光のもとで顔面の状態を確認することが出来る効果がある。
【発明を実施するための最良の形態】
【００１２】
以下、添付図面に基づき、この発明の実施形態を説明する。
図１はこの発明を実施した化粧室ユニットの一部切欠した斜視図、図２は図１のＡ−Ａ矢視拡大断面図、図３はミラーの拡大正面図を示し、航空機用の化粧室ユニット１０のパネル１１の側面の一部にキャビネット１２を介して取付けられるミラー１３が取り付けられる。なお、１４は大便器を兼ねた小便器，１５は洗面台、Ｗｘは使用者、Ｑａは照明光を示している。
【００１３】
前記ミラー１３の少なくとも左右に隣接するキャビネット１２には、図２及び図３に示すように、キャビネット１２の表面に透明または半透明なカバー部材１６を設け、このカバー部材１６の内側に発光ダイオード（ＬＥＤ）または蛍光灯等の発光体１７が配設してある。
【００１４】
前記カバー部材１６のミラー１３に隣接する部分は、ミラー１３と同一面上とし、反対側は前記キャビネット１２の厚みに沿って前面側に立ち上がるように構成し、ミラー１３の裏面側には、反射コーティング部材１８が設けてある。
【００１５】
前記、発光ダイオード（ＬＥＤ）または蛍光灯等の発光体１７は、連続または非連続に形成されたものを使用することも可能であり、更にミラー１３の左右に隣接するキャビネット１２に限定されず、上部側に設けることも可能である。
【００１６】
更に、前記ミラー１３に隣接するキャビネット１２の側面におけるパネル１１等に、少なくとも一個以上の小物入れ１９を併設することも可能である。
【００１７】
この発明のミラー取付け構造では、ミラー１３と同一面上に光の放出部を有する発光体１７（フェイスライト）よりも多くの方向から顔面に照明光Ｑａが照射されるので、ミラー１３に写る使用者Ｗｘの顔面に生じる影を低減し、より自然な光のもとで顔面の状態を確認することが可能となる。
【図面の簡単な説明】
【００１８】
【図１】この発明を実施した化粧室ユニットの一部切欠した斜視図である。
【図２】図１のＡ−Ａ矢視拡大断面図である。
【図３】ミラーの拡大正面図である。
【図４】従来のミラー取り付け構造の断面図である。
【符号の説明】
【００１９】
１  化粧室ユニットのパネル          １ａ  キャビネット
２  ミラー                            ３  反射コーティング部材
４  フィルタ                          ５  カバー部材
６  発光体                      Ｑ，Ｑａ  照明光
Ｗ，Ｗｘ  使用者
１０  化粧室ユニット                  １１  パネル
１２  キャビネット                    １３  ミラー
１４  大便器を兼ねた小便器            １５  洗面台
１６  カバー部材                      １７  発光体
１８  反射コーティング部材１８        １９  小物入れ
【図１】
2008080843.tif 000003
【図２】
2008080843.tif 000004
【図３】
2008080843.tif 000005
【図４】
2008080843.tif 000006